【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
パケットデータコンバージェンスプロトコル(PDCP)エンティティによるパケット複製をサポートするためのベアラの構成を受信するステップと、
前記ベアラのための前記パケット複製の有効化ステータスを決定するステップと、
前記ベアラのための前記パケット複製の前記有効化ステータスに少なくとも一部基づいて、第1のPDCPパケットのコピーである第2のPDCPパケットを作成するために前記第1のPDCPパケットを複製するステップと、
前記第1のPDCPパケットを第1の無線リンク制御(RLC)エンティティに、および前記第2のPDCPパケットを第2のRLCエンティティに送信のために転送するステップと、
前記第1のPDCPパケットが受信デバイスによって受信されたことを示す肯定応答(ACK)を前記第1のRLCエンティティを介して受信するステップと、
前記ACKを受信したことに少なくとも一部基づいて、前記第2のRLCエンティティを介して前記第2のPDCPパケットを送信するのを控えるステップと、
前記第1のRLCエンティティのための第1のバッファステータス報告(BSR)を送信するステップと、
前記第2のRLCエンティティのための第2のBSRを送信するステップであって、前記第2のBSRが前記第1のBSRとは異なる、ステップと
を備える、方法。
【請求項２】
動的な複製パラメータが有効化閾値を満たすことを決定するステップであて、前記動的な複製パラメータがリンクパラメータを含む、ステップと、
前記動的な複製パラメータが前記有効化閾値を満たすことに少なくとも一部基づいて、前記PDCPエンティティによって前記パケット複製を有効化するステップと
をさらに備える、請求項1に記載の方法。
【請求項３】
前記動的な複製パラメータが、前記第1のRLCエンティティと関連付けられるパケット損失率、前記第2のRLCエンティティと関連付けられるパケット損失率、前記第1のRLCエンティティと関連付けられるデータレート、前記第2のRLCエンティティと関連付けられるデータレート、前記第1のRLCエンティティと関連付けられるチャネル品質インジケータ、前記第2のRLCエンティティと関連付けられるチャネル品質インジケータ、アプリケーションパケットタイプ、前記第1のRLCエンティティと関連付けられるトランスポートブロックサイズ、前記第2のRLCエンティティと関連付けられるトランスポートブロックサイズ、またはこれらの組合せを含む、請求項2に記載の方法。
【請求項４】
前記第1のRLCエンティティの前記第1のPDCPパケットまたは前記第2のRLCエンティティの前記第2のPDCPパケットのうちの少なくとも1つが、論理チャネル識別子(LCID)、論理チャネルグループ識別子(LCG ID)、前記第1のRLCエンティティのバッファサイズ、前記第2のRLCエンティティのバッファサイズ、パディング、またはこれらの組合せを含む、請求項1に記載の方法。
【請求項５】
前記第1のRLCエンティティの現在の左端および次のシーケンス番号を特定するステップと、
前記第1のRLCエンティティの前記現在の左端および前記次のシーケンス番号に少なくとも一部基づいて、前記第2のRLCエンティティのための状態変数を決定するステップと
をさらに備える、請求項1に記載の方法。
【請求項６】
前記第1のRLCエンティティの更新された状態変数に少なくとも一部基づいて、前記第2のRLCエンティティの状態変数を調整するステップと、
前記第2のRLCエンティティの前記状態変数を調整したことに少なくとも一部基づいて、前記第2のRLCエンティティのバッファに記憶されているパケットを廃棄するステップと
をさらに備える、請求項1に記載の方法。
【請求項７】
前記第1のRLCエンティティの前記更新された状態変数が、前記PDCPエンティティ、前記第1のRLCエンティティ、または無線リソース制御(RRC)エンティティからの指示によって前記第2のRLCエンティティに示される、請求項6に記載の方法。
【請求項８】
前記第1のPDCPパケットを前記第1のRLCエンティティに転送したことに少なくとも一部基づいてタイマーを有効化するステップをさらに備える、請求項1に記載の方法。
【請求項９】
前記タイマーが満了する前に前記ACKを受信するステップをさらに備える、請求項8に記載の方法。
【請求項１０】
前記第2のRLCエンティティに前記第2のPDCPパケットを送信のために転送することが、前記ACKを受信する前に前記タイマーが満了したことに少なくとも一部基づく、請求項8に記載の方法。
【請求項１１】
第1の周波数スペクトル帯域を有する第1のコンポーネントキャリアを使用して前記第1のPDCPパケットを送信するステップであって、前記第1のコンポーネントキャリアが前記第1のRLCエンティティにマッピングされる、ステップと、
をさらに備える、請求項1に記載の方法。
【請求項１２】
前記第1のコンポーネントキャリアに対する前記第1のRLCエンティティのマッピング、および第2のコンポーネントキャリアに対する前記第2のRLCエンティティの前記マッピングを示すメッセージを受信するステップをさらに備え、前記第1のPDCPパケットを送信することが前記マッピングに少なくとも一部基づく、請求項11に記載の方法。
【請求項１３】
前記第1のRLCエンティティの第1のバッファのための第1のバッファステータスおよび前記第2のRLCエンティティの第2のバッファのための第2のバッファステータスを特定するステップと、
前記第1のバッファステータスおよび前記第2のバッファステータスを含む単一のBSRを送信するステップと
をさらに備える、請求項1に記載の方法。
【請求項１４】
前記第1のRLCエンティティまたは前記第2のRLCエンティティをデフォルトRLCエンティティとして選択するステップと、
前記デフォルトRLCエンティティの識別情報を受信デバイスに送信するステップと
をさらに備える、請求項1に記載の方法。
【請求項１５】
前記第1のRLCエンティティおよび前記第2のRLCエンティティが、同じ基地局と通信するためのキャリアアグリゲーションと関連付けられる、請求項1に記載の方法。
【請求項１６】
前記第1のRLCエンティティが第1の基地局と関連付けられ、前記第2のRLCエンティティがデュアル接続通信のために前記第1の基地局とは異なる第2の基地局と関連付けられる、請求項1に記載の方法。
【請求項１７】
前記パケット複製が、前記PDCPエンティティにおいてデータを処理するための複数の手順を含み、前記複数の手順が、前記PDCPエンティティの他の動作モードによって指定される手順とは異なる、請求項1に記載の方法。
【請求項１８】
前記第1のRLCエンティティのステータスおよび前記第2のRLCエンティティのステータスに少なくとも一部基づいて、前記第1のRLCエンティティへの前記第1のPDCPパケットの転送および前記第2のRLCエンティティへの前記第2のPDCPパケットの転送を協調させるステップをさらに備える、請求項1に記載の方法。
【請求項１９】
前記パケット複製を有効化したこと、前記パケット複製を無効化したこと、または前記パケット複製を再有効化したことに少なくとも一部基づいて、前記第1のRLCエンティティの前記ステータスおよび前記第2のRLCエンティティの前記ステータスを構成するステップをさらに備える、請求項18に記載の方法。
【請求項２０】
前記第1のPDCPパケットおよび前記第2のPDCPパケットの前記転送の前記協調が、タイマーの使用に少なくとも一部基づく、請求項18に記載の方法。
【請求項２１】
ユーザ機器(UE)によるワイヤレス通信のための方法であって、
基地局から、パケット複製を有効化するための条件を前記UEにおいて受信するステップであって、前記条件が、有効化パラメータおよび有効化閾値の指示を含む、ステップと、
パケット複製と関連付けられる前記有効化パラメータを測定するステップと、
前記有効化パラメータが前記有効化閾値を満たすことを決定するステップと、
前記有効化パラメータが前記有効化閾値を満たすことを決定したことに少なくとも一部基づいて、複製されたパケットが前記UEによって通信されるべきであることを示す有効化メッセージを前記UEにより前記基地局に送信するステップであって、前記有効化メッセージが前記複製されたパケットの送信よりも前に送信される、ステップと
を備える、方法。
【請求項２２】
前記UEのパケットデータコンバージェンスプロトコル(PDCP)エンティティによって、前記有効化パラメータが前記有効化閾値を満たすことを決定したことに少なくとも一部基づいて、第1のPDCPパケットのコピーである第2のPDCPパケットを作成するために、前記第1のPDCPパケットを複製するステップをさらに備える、請求項21に記載の方法。
【請求項２３】
前記第1のPDCPパケットを第1のRLCエンティティに、および前記第2のPDCPパケットを前記第1のRLCエンティティとは異なる第2のRLCエンティティに転送するステップをさらに備える、請求項22に記載の方法。
【請求項２４】
前記有効化パラメータが前記有効化閾値を満たすことを決定したことに少なくとも一部基づいて、前記第1のPDCPパケットおよび前記第2のPDCPパケットを前記基地局に送信するステップをさらに備える、請求項22に記載の方法。
【請求項２５】
前記有効化パラメータが、前記基地局と前記UEとの間の通信リンクと関連付けられるパケット損失率またはチャネル品質インジケータである、請求項21に記載の方法。
【請求項２６】
前記基地局からデフォルトRLCエンティティの識別情報を受信するステップをさらに備える、請求項21に記載の方法。
【請求項２７】
ワイヤレス通信のための装置であって、
プロセッサと、
前記プロセッサと電子通信するメモリと、
前記メモリに記録された命令と
を備え、前記命令は、前記プロセッサに実行されたときに、前記装置に、
パケットデータコンバージェンスプロトコル(PDCP)エンティティによるパケット複製をサポートするためのベアラの構成を受信することと、
パケット複製ベアラの有効化ステータスを決定することと、
前記ベアラのための前記パケット複製の前記有効化ステータスに少なくとも一部基づいて、第1のPDCPパケットのコピーである第2のPDCPパケットを作成するために前記第1のPDCPパケットを複製することと、
前記第1のPDCPパケットを第1の無線リンク制御(RLC)エンティティに、および前記第2のPDCPパケットを第2のRLCエンティティに送信のために転送することと、
前記第1のPDCPパケットが受信デバイスによって受信されたことを示す肯定応答(ACK)を前記第1のRLCエンティティを介して受信することと、
前記ACKを受信したことに少なくとも一部基づいて、前記第2のRLCエンティティを介して前記第2のPDCPパケットを送信するのを控えることと、
前記第1のRLCエンティティのための第1のバッファステータス報告(BSR)を送信することと、
前記第2のRLCエンティティのための第2のBSRを送信することであって、前記第2のBSRが前記第1のBSRとは異なる、送信することと
を行わせる、装置。
【請求項２８】
ワイヤレス通信のための装置であって、
プロセッサと、
前記プロセッサと電子通信するメモリと、
前記メモリに記録された命令と
を備え、前記命令は、前記プロセッサにより実行されたときに、前記装置に、
基地局から、パケット複製を有効化するための条件をユーザ機器(UE)において受信することであって、前記条件が、有効化パラメータおよび有効化閾値の指示を含む、受信することと、
パケット複製と関連付けられる前記有効化パラメータを測定することと、
前記有効化パラメータが前記有効化閾値を満たすことを決定することと、
前記有効化パラメータが前記有効化閾値を満たすことを決定したことに少なくとも一部基づいて、複製されたパケットが前記UEによって通信されるべきであることを示す有効化メッセージを前記UEにより前記基地局に送信することであって、前記有効化メッセージが前記複製されたパケットの送信よりも前に送信される、送信することと
を行わせる、装置。